(57)【要約】  本発明は、複数のインタフェイスを経由するデータフローの伝送方法に関する。本発明の方法は、インタフェイスによって提供された最大スループット値（ＤＭ）と、前記インタフェイスを経由して効果的に移動するフローに帰属させられるスループットの合計から生じる累積値（ＤＴＦ）とを比較する少なくとも１つのステップと、提供された最大スループット値（ＤＭ）が累積値（ＤＴＦ）未満であるときにフローを別のインタフェイスへ切り替える（ＳＴＲＣＯＭ）少なくとも１つのステップとを備える。本発明は、比較ステップにおいて輻輳が検出されたときにデータフローを現在のインタフェイス以外のインタフェイスにリダイレクトし、異なるインタフェイスの動作条件に応じて前記インタフェイスのリソースの最適動的管理を実行するために使用され得る。
2009508374.tif 000002
【特許請求の範囲】
【請求項１】
複数のインタフェイスを介して多数の通信ネットワークとデータストリームを交換する能力がある少なくとも１台の端末を含む電気通信システム内でデータを伝送する方法であって、
特有のストリームが移動するインタフェイスによって提供される最大スループットレート値と、前記インタフェイスを効果的に移動する前記ストリームに割り当てられるべきスループットレート値の合計から得られる累積値とを比較する少なくとも１つのステップと、
前記提供された最大スループットレート値が前記累積値より低いときに別のインタフェイスが前記ストリームに割り当てられる少なくとも１つのスイッチングステップと
を含むことを特徴とする方法。
【請求項２】
前記ストリームの最小スループットレートが、着目中のインタフェイスを移動する前記ストリームに割り当てられた値の合計から減算されるときに、前記着目中のインタフェイスによって提供される前記最大スループットレート値に最も近い値を取得できるようにする１つのストリームを前記ストリームの中から選択するステップを含み、そして、このようにして選択された前記ストリームが、その後にスイッチングステップの対象とするために用いられることを特徴とする、請求項１に記載の方法。
【請求項３】
各インタフェイスに割り当てられた種々のストリームを所定の優先度順に分類するステップをさらに含み、スイッチングステップの対象とされるべき前記ストリームが、その後に優先度の昇順による選択のために用いられることを特徴とする、請求項１または２に記載の方法。
【請求項４】
数個の許容可能な公称スループットレート値が前記ストリームのうちの少なくとも１つのストリームに対して判定ステップ中に判定され、
前記公称スループットレートのうちの最小公称スループットレートが前記ストリームに適した前記最小スループットレートを構成し、
前記着目中のストリームを前記スイッチングステップの対象とすることが、前記インタフェイスによって前記着目中のストリームに効果的に割り当てられた前記スループットレートがスループットレートの最小値まで削減されない限り阻止されることを特徴とする、請求項１から３のいずれかに記載の方法。
【請求項５】
前記ストリームを前記スイッチングステップの対象にすることは、前記インタフェイスによって前記インタフェイスを通る前記ストリームに効果的に割り当てられた前記スループットレートがすべてのスループットのそれぞれの最小値まで低減されない限り、阻止されることを特徴とする、請求項４に記載の方法。
【請求項６】
あるスイッチングステップに後続し、特有のストリームの現在のスループットレートの直ぐ上の公称スループットレート値の選択によって、対象となる前記特有のストリームのスループットレートを増大するために用いられる、前記スループットレートを増大するステップをさらに含むことを特徴とする、請求項４または５に記載の方法。
【請求項７】
複数のインタフェイスを介して多数の通信ネットワークとデータストリームを交換する能力がある少なくとも１台の端末を含む電気通信システムであって、
特有のストリームが移動するインタフェイスによって提供される最大スループットレート値と、前記インタフェイスを効果的に移動する前記ストリームに割り当てられるべきスループットレート値の合計から得られる累積値とを比較する手段と、
前記提供された最大スループットレート値が前記累積値より低いときに別のインタフェイスを前記特有のストリームに割り当てる能力があるスイッチング手段と
を含むことを特徴とする電気通信システム。
【請求項８】
複数のインタフェイスを介して多数の通信ネットワークとデータストリームを交換する能力がある端末であって、
特有のストリームが移動するインタフェイスによって提供される最大スループットレート値と、前記インタフェイスを効果的に移動するストリームに割り当てられるスループットレート値の合計から得られる累積値とを比較する手段と、
前記提供された最大スループットレート値が前記累積値より低いときに別のインタフェイスを前記特有のストリームに割り当てる能力があるスイッチング手段と
を含むことを特徴とする端末。
【請求項９】
電気通信ネットワークを介してダウンロード可能であり、および／または、中央処理ユニットのメモリに記憶され、および／または、前記中央処理ユニットのリーダーと協動するように設計されたメモリ担体に記憶され、複数のインタフェイスを介して多数の通信ネットワークとデータストリームを交換する能力がある端末内で実施されるように設計されたコンピュータプログラムであって、
特有のストリームが移動するインタフェイスによって提供される最大スループットレート値と、前記インタフェイスを効果的に移動するストリームに割り当てられるスループットレート値の合計から得られる累積値とを比較するステップの実行を命令する少なくとも１つの命令と、
前記提供された最大スループットレート値が前記累積値より低いときに別のインタフェイスが前記ストリームに割り当てられるスイッチングステップの実行を命令する少なくとも１つの命令と
を含むことを特徴とする、コンピュータプログラム。
【請求項１０】
請求項９に記載のコンピュータプログラムを記憶している記憶媒体。
【請求項１１】
端末に含まれる複数のインタフェイスの中から選択されたインタフェイスを介してデータストリームを搬送するために用いられる信号であって、該信号が、前記インタフェイスを効果的に移動する前記ストリームに割り当てられるべきスループットレート値の合計から得られる累積値の成分を形成するために用いられる公称スループットレートを定義する少なくとも１つのフィールドを含み、前記累積値が、前記端末内で、このインタフェイスによって提供された利用可能なスループットレートとの比較のため用いられるものである、信号。
【請求項１２】
請求項１１に記載された信号によって搬送されるデータストリームを指定する識別子を参照して、前記データストリームに適した最小スループットレートの少なくとも１個の値を記憶するために用いられる記憶媒体。
【発明の詳細な説明】
【技術分野】
【０００１】
本発明は、複数のインタフェイスを介して多数の通信ネットワークとデータストリームを交換する能力がある少なくとも１台の端末を含む電気通信システム内のデータの伝送方法に関する。
【背景技術】
【０００２】
この種の方法は、第９回パーソナルワイヤレス通信国際会議、２００４年９月で公表された論文「Ａｃｈｉｅｖｉｎｇ  ‘Ａｌｗａｙｓ  Ｂｅｓｔ  Ｃｏｎｎｅｃｔｅｄ’  ｔｈｒｏｕｇｈ  Ｅｘｔｅｎｓｉｖｅ  Ｐｒｏｆｉｌｅ  Ｍａｎａｇｅｍｅｎｔ」に記載されている。
【０００３】
従来技術の方法は、端末の動作中にインタフェイスの損失を検出することと、ストリームの連続性の救済を理論的に可能にする高速アルゴリズムと称される第１の意思決定アルゴリズムを使用して、失われたインタフェイスが最初に割り当てられていたストリームを別のインタフェイスへほとんど瞬時にリルーティングすることとを可能にする。低速アルゴリズムと称される第２の意思決定アルゴリズムは、高速アルゴリズムによる１つ以上のストリームの任意の再割り当て後に、種々の残りのインタフェイス上でのストリームの最適配分を達成するためにさらに設けられている。さらに、インタフェイスの出現または再出現は、他の有利でないインタフェイスを移動するストリームをこの新しいインタフェイスの方へリダイレクトすることができる高速アルゴリズムによって考慮され、このようなリダイレクションの後に、種々の既存のインタフェイス上にストリームを最適配分するため、低速アルゴリズムの実施が続けられる。
【０００４】
しかし、本発明者らは、電気通信システムが現実の条件で動作するときに確実に起こるある種の状況において、高速と低速の両方のアルゴリズムの連続的な実施が電気通信システム、特に、端末の最適動作を提供しないことに気付いた。これらの特有の条件に含まれる１つの可能性が高い状況では、インタフェイスが完全に消失しないが、一時的に妨害され、その結果、このインタフェイスは、このインタフェイスのため初期に計画されたスループットレートと比較されたときに非常に低い全スループットレート以外のスループットレートでこのインタフェイスを通るように設計されたストリームをもはや提供しなくなる。このような状況では、上記従来技術の教示によれば、ストリームの新しい最適配分を見つけるために修正措置を講じるのは低速アルゴリズムであり、これは飽和したインタフェイスを移動するストリームが非常に簡単に遮断され損なわれるのに十分な大きい間隔をもつ待ち時間（latency）の期間を導入する危険性を必然的に伴い、許容できない。
【発明の開示】
【発明が解決しようとする課題】
【０００５】
本発明の目的の１つは、複数のインタフェイスが設けられている端末内で実施され、対応するインタフェイスの飽和を原因とするストリームの遮断を可能な範囲内で防止するために、１台以上のインタフェイスの輻輳の現象が即座に検出され、迅速に考慮に入れられる、データ伝送方法を提案することである。
【課題を解決するための手段】
【０００６】
実際には、導入段落に従う１つのデータ伝送方法は、本発明によれば、
特有のストリームが移動するインタフェイスによって提供される最大スループットレート値と、前記インタフェイスを効果的に移動するストリームに割り当てられるべきスループットレート値の合計から得られる累積値とを比較する少なくとも１つのステップと、
提供された最大スループットレート値が累積値より低いときに別のインタフェイスが前記ストリームに割り当てられる少なくとも１つのスイッチングステップと
を含むことを特徴とする。
【０００７】
本発明は、比較ステップが輻輳、または、さらに現在のインタフェイスの飽和を検出すると直ぐに、１つ以上のデータストリームを現在のインタフェイス以外のインタフェイスへリダイレクトすること可能にする。このことは、この種の高速スイッチングが現在のインタフェイスの完全な損失の場合に限り可能である従来技術では可能ではない。したがって、本発明は、種々のインタフェイスに適切であり、前記インタフェイスの動作の条件の変動に適している、帯域幅の最適で動的な管理を可能にする。
【０００８】
本発明の実施の有利なモードによれば、上述されている方法は、ストリームの中から、ストリームの最小スループットレートが、着目中のインタフェイスを移動するストリームに割り当てられた値の合計から減算されるときに、このインタフェイスによって提供される最大スループットレートの値に最も近い値を取得することを可能にさせる１つのストリームを選択するステップをさらに含み、このようにして選択されたストリームがその後にスイッチングステップの対象とされることが意図されている。
【０００９】
この種の選択ステップは、ストリームの消失が生じさせる着目中のインタフェイスを経由する総伝送スループットレートが、所与の時点で着目中のインタフェイスによって効果的に可能にされるスループットレートにできるだけ近い１つ以上のストリームだけをスイッチングステップの対象とする際に、インタフェイスの帯域幅全体の利用を可能にする。
【００１０】
本発明の１つの特有の実施モードによれば、上述されている方法は、各インタフェイスに割り当てられた種々のストリームを所定の優先度順に分類するステップを含み、スイッチングステップの対象とされるべきストリームはその後に優先度の昇順による選択のために用いられる。
【００１１】
そのため、分類ステップは、ある種のタイプのデータの伝送を他のデータより優先することが可能である。たとえば、テレビ電話アプリケーションのコンテキストにおいてオーディオストリームまたはビデオストリームで搬送されるデータ等のように、端末のユーザにリアルタイムで戻されるべき刺激を定義するデータは、伝送の待ち時間（latency）が許容できると思われるテキストデータより優先すると考えられるが、その理由は、たとえ瞬間的な中断であっても、オーディオ刺激またはビデオ刺激の中断によって不便を感じさせられることが避けられないユーザを逆に感知できないためである。このようにして、これらの３つのストリームを搬送するインタフェイスの飽和の場合、オーディオストリームおよびビジュアルストリームに割り当てられた優先度順より低い優先度順が予備的に割り当てられているテキストデータストリームは、より高い優先度を有する他のストリームの利益のために帯域幅を解放するようにスイッチングステップの対象となる。
【００１２】
本発明の有利な変形によれば、数個の許容可能な公称スループットレート値は、少なくとも１つのストリームに対して判定ステップ中に判定され、最小の前記公称スループットレートは前記ストリームに適した最小スループットレートを構成し、着目中のストリームをスイッチングステップの対象とすることは、インタフェイスによって前記着目中のストリームに効果的に割り当てられたスループットレートが最小値まで削減されない限り、阻止される。
【００１３】
インタフェイスを通過する１つ以上のストリームの数個の許容可能な公称スループットレート値のスケールの存在は、このような値のスケールが設けられているストリームの様々なスループットレートの段階による調節を可能にするので、種々の同時ストリーム間での帯域幅の配分の精度向上を可能にする。特に、インタフェイスの飽和の場合、好ましくは、優先ストリームのスループットレートを変更することなく、非優先ストリームのスループットレートをそれらの最小値まで削減することが選択される。
【００１４】
この変形の特有の実施モードによれば、スイッチングステップは、インタフェイスによってインタフェイスを通るストリームに効果的に割り当てられたスループットレートがすべてそれぞれの最小値まで削減されない限り、阻止され得る。
【００１５】
この特有の実施形態では、ストリームが優先ストリームであるかどうかとは無関係に、これらのストリームのうちの１つ以上のストリームを優先度の昇順でスイッチングステップの対象とする前に、飽和インタフェイスを通過する全ストリームに配分されたスループットレートを削減することが好ましいと考えられる。
【００１６】
この変形の好ましい実施モードによれば、上述されているような方法は、スイッチングステップに後続し、特有のストリームの現在のスループットレートの直ぐ上の公称スループットレート値の選択によって、その対象となる特有のストリームのスループットレートを増大するために用いられる、スループットレートを増大するステップをさらに含むことを特徴とする。
【００１７】
非優先ストリームのスループットレートが公称値まで削減された後に、または、非優先ストリームが他のインタフェイスへ切り替えられた後に、１回以上の増大ステップを実行することは、優先ストリームの利益のためこのように解放されたリソースの新たな割り当てを許可し、従って、本発明によって達成される帯域幅の管理の最適化を完了させることを可能にする。
【００１８】
本発明は、上記説明に準拠している方法の実施中に直接的に得られるプロダクトとして理解される信号にも関係し、この信号は、端末に含まれているそのような複数のインタフェイスの中から選択されたインタフェイスを介してデータストリームを搬送するために用いられ、前記信号は、前記インタフェイスを効果的に移動するストリームに割り当てられるべきスループットレート値の合計から得られる累積値の成分を形成するために用いられる公称スループットレートを定義する少なくとも１つのフィールドを含み、前記累積値は、前記端末内で、このインタフェイスによって提供された利用可能なスループットレートとの比較のため用いられる。
【００１９】
上述されている伝送方法は、種々の手段により、特に、回路形式またはソフトウェア形式により実施される。したがって、本発明は、電気通信ネットワークを介してダウンロード可能であり、および／または、中央処理ユニットのメモリに記憶され、および／または、前記中央処理ユニットのリーダーと協動するように設計されたメモリ担体に記憶されるコンピュータプログラムプロダクトにも関係し、前記プログラムは、複数のインタフェイスを介して多数の通信ネットワークとデータストリームを交換する能力がある端末内で実施されるように設計され、前記プログラムは、
特有のストリームが移動するインタフェイスによって提供される最大スループットレート値と、前記インタフェイスを効果的に移動するストリームに割り当てられるスループットレート値の合計から得られる累積値とを比較するステップの実行を命令する少なくとも１つの命令と、
提供された最大スループットレート値が累積値より低いときに別のインタフェイスが前記ストリームに割り当てられるスイッチングステップの実行を命令する少なくとも１つの命令と
を含む。
【００２０】
ハードウェアの態様によれば、本発明は、上記説明に準拠しているコンピュータプログラムが記憶されているか、または、さらに上記に定義されているような信号によって伝搬されるデータストリームを指定する識別子を参照して、前記データストリームに適した最小スループットレートの少なくとも１個の値を記憶するため用いられる、データ担体にも関係する。
【００２１】
本発明の別のハードウェアの態様によれば、本発明は、複数のインタフェイスを介して多数の通信ネットワークとデータストリームを交換する能力がある少なくとも１台の端末を含む電気通信システムにも関係し、システムは、
特有のストリームが移動するインタフェイスによって提供される最大スループットレート値と、前記インタフェイスを効果的に移動するストリームに割り当てられるべきスループットレート値の合計から得られる累積値とを比較する手段と、
提供された最大スループットレート値が累積値より低いときに別のインタフェイスを前記特有のストリームに割り当てる能力があるスイッチング手段と
を含むことを特徴とする。
【００２２】
本発明のさらに別のハードウェアの態様によれば、本発明は、複数のインタフェイスを介して多数の通信ネットワークとデータストリームを交換する能力がある端末にも関係し、端末は、
特有のストリームが移動するインタフェイスによって提供される最大スループットレート値と、前記インタフェイスを効果的に移動するストリームに割り当てられるスループットレート値の合計から得られる累積値とを比較する手段と、
提供された最大スループットレート値が累積値より低いときに別のインタフェイスを前記特有のストリームに割り当てる能力があるスイッチング手段と
を含むことを特徴とする。
【００２３】
上述の本発明の特徴は、他の特徴と共に添付図面を参照して記載された以下の実施形態の例の説明から、より明瞭になるであろう。
【発明を実施するための最良の形態】
【００２４】
図１は、複数のインタフェイスＩＮＴ１．．．ＩＮＴＰを介してＮ個の別個の通信ネットワークＣＮＷ１、ＣＮＷ２、．．．、ＣＮＷＮとデータストリーム（Ｓｔｒｌ１．．．Ｓｔｒｌｋ）．．．（Ｓｔｒｐ１．．．Ｓｔｒｐｑ）を交換する能力がある少なくとも１台の端末ＴＥＲＭを含む電気通信システムＳＹＳＴの概略図である。これらの種々の通信ネットワークは、１つ以上のＳＴＮ（交換電話ネットワーク）タイプの有線ネットワーク、１つ以上のＧＳＭ（グローバル移動体システム）もしくはＵＭＴＳ（ユニバーサル移動体通信システム）タイプのネットワーク、または、ＩＥＥＥ  ８０２．３、ＩＥＥＥ  ８０２．１１もしくはＩＥＥＥ  ８０２．１５規格に準拠するネットワーク等の１つ以上の無線ローカルエリアネットワークを含む。様々なデータストリーム（Ｓｔｒｌ１．．．Ｓｔｒｌｋ）．．．（Ｓｔｒｐ１．．．Ｓｔｒｐｑ）が解析手段ＱＮＡを介して前記ストリームによって搬送されるデータを処理する手段ＤＰＭへ伝送される。
【００２５】
本発明による電気通信システムＳＹＳＴは、所与のインタフェイスによって提供される最大スループットレート値が前記インタフェイスを移動するストリームに割り当てられたスループットレート値の合計より低くなるとき、所与のインタフェイスを介して、最初に新しいインタフェイスへ移動する特有のストリームを切り替えることができる通信手段ＳＷＭを端末ＴＥＲＭ内に含む。
【００２６】
ここに示されている例では、解析手段ＱＮＡは、入力／出力手段Ｉ／Ｏを制御することができる中央処理ユニットＣＰＵと、種々のインタフェイスＩＮＰ１．．．ＩＮＴＰ上でのストリーム（Ｓｔｒｌ１．．．Ｓｔｒｌｋ）．．．（Ｓｔｒｐ１．．．Ｓｔｒｐｑ）の配分の最適化を実現することを目的とする本発明による方法が命令のシーケンスの形式で記憶されているメモリＭＥＭとを含む。より詳細には、解析手段ＱＮＡは、特に、少なくとも１つの特有のストリームの最小スループットレート、たとえば、最初にインタフェイスＩＮＴ１を介して移動中であるストリームＳｔｒｌｋに割り当てられた値Ｄｒｌｋｍと、この特有のストリームＳｔｒｌｋが流れるインタフェイスによって提供された利用可能なスループットレートとの間で比較を行う能力がある。
【００２７】
本例では、解析手段ＱＮＡは、インタフェイスＩＮＴ１．．．ＩＮＴＰを通過するストリーム（Ｓｔｒｌ１．．．Ｓｔｒｌｋ）．．．（Ｓｔｒｐ１．．．Ｓｔｒｐｑ）の実効スループットレートを設定する手段を含み、前記設定手段は設定信号Ｔｕｎ（Ｓｔｒｊ，Ｄｒｊ）を特有のストリームを生成したエンティティへ送信する能力があり、この設定信号は、少なくとも１個のストリームＳｔｒの識別子を搬送し、このストリームＳｔｒに割り当てられるべきスループットレートの値Ｄｒを保有し、前記設定信号は着目中のストリームのスループットレートが非常に大きく、ソースで低減されるべきであるという事実をこのエンティティに通知することを目的とし、ソースは、本例の場合のように、着目中のストリームが出力ストリームであるときに処理手段ＤＰＭによって構成され、または、着目中のストリームが入力ストリームであるときにリモート端末によって構成され、この場合には、設定信号がこのストリームに割り当てられたインタフェイスを介してリモート端子に送信される。
【００２８】
本明細書中に記載されている実施モードでは、端末ＴＥＲＭは、テーブルＴＡＢの記憶手段を含み、インタフェイスＩＮＴｉ（但し、ｉ＝１からＰ）に属している各セグメント内では、このインタフェイスに関する情報、特に、このインタフェイスＩＮＴｉによって入手できるようにされた最大スループットレートＤＭｉに関する情報と、このインタフェイスが割り当てられている種々のストリームの累積スループットレートＤｔｆｉに関する情報とが１つにグループ分けされている。解析手段ＱＮＡは、このテーブルＴＡＢ内で、種々のインタフェイスを通過する様々なストリームのスループットレートに関する情報を記録し、このテーブルＴＡＢからこれらのストリームに属する情報Ｓｔｒｉｎｆを抽出することを目的としている。ここに記載されている例において、テーブルＴＡＢが解析手段ＱＮＡの外側に記録されているならば、このテーブルＴＡＢは、本発明の他の実施モードでは、解析手段ＱＮＡに含まれているメモリＭＥＭ自体に記憶され得る。
【００２９】
本明細書中に記載されている本発明の実施の例では、テーブルＴＡＢの各セグメントは、着目中のインタフェイスを通過するストリームに１つずつが割り当てられ、前記ストリーム内に包含されているフィールドで搬送される複数のスケールの公称スループットレート値をさらに含み、たとえば、値のスケールは、インタフェイスＩＮＴ１を通過するストリームＳｔｒｌ１．．．Ｓｔｒｌｋに割り当てられ、インデックス「Ｍ」が上限を示し、インデックス「ｍ」が下限を示す場合に、（Ｄｒｌ１Ｍ．．．Ｄｒｌ１ｍ）．．．（ＤｒｌｋＭ．．．Ｄｒｌｋｍ）と称され、ストリームＳｔｒｌｊ（但し、ｊ＝１からｋ）に割り当てられた公称最低スループットレートは前記ストリームＳｔｒｌｊに適した最小スループットレートを構成し、これらのストリームのうちの各ストリームは、各ストリームに適したある程度の優先度Ｐｌ１．．．Ｐｌｋがさらに与えられ、各ストリームＳｔｒｌ１．．．Ｓｔｒｌｋは、このストリームに互換性があるインタフェイスのタイプをもち、所定の優先順序で並べられた、あらかじめ定義された集合（Ｔｌ１．．．Ｔｌｒ）．．．（Ｔｋ１．．．Ｔｋｓ）とさらに関連付けられている。
【００３０】
解析手段ＱＮＡは、所与のインタフェイス、たとえば、インタフェイスＩＮＴ１の飽和を検出する能力があり、所与のインタフェイスの飽和は、このインタフェイスに割り当てられたストリーム（Ｓｔｒｌ１．．．Ｓｔｒｌｋ）のスループットレートの累積値Ｄｔｆ１が所与のインタフェイスＩＮＴ１によって考慮されている時点で効果的に提供される利用可能なスループットレートの値ＤＭ１より大きくなるという事実によって表現される。これらの解析手段は、その後に、最初に、ストリームのスループットレートを値Ｄｒに設定する命令を受信しストリームＳｔｒを送信するエンティティへ向けられた設定信号Ｔｕｎ（Ｓｔｒ，Ｄｒ）を送出し、そして、スイッチング手段ＳＷＭのコマンドモジュールＩＳＭへ向けられた、ストリームＳｔｒが割り当てられるべきインタフェイスの識別子Ｉｎｔを搬送するスイッチング信号Ｃｍ（Ｓｔｒ，Ｉｎｔ）を送出する。そのため、解析手段ＱＮＡは、ストリームＳｔｒに割り当てられたスループットレートを増減させる可能性があるか、または、さらに、前記ストリームＳｔｒに現在割り当てられているインタフェイス識別子とは異なるインタフェイス識別子Ｉｎｔを生成することにより、スループットの現在のインタフェイス以外のインタフェイスへのスループットの再割り当てを命令する可能性があり、新しいインタフェイスのタイプは、このストリームが適合するインタフェイスのタイプの集合の範囲内で優先度の降順によって選ばれている。このために、制御モジュールＩＳＭは、スイッチング信号Ｃｍ（Ｓｔｒ，Ｉｎｔ）を復号化し、前記スイッチング信号Ｃｍ（Ｓｔｒ，Ｉｎｔ）によって搬送された命令を実行するためにスイッチング手段ＳＷＭを制御する制御信号Ｉｓｗｃを生成する。ここに記載されている例において、スイッチングモジュールＩＳＭが解析手段ＱＮＡの外側に置かれていれば、この制御モジュールＩＳＭは、本発明の他の実施モードでは、解析手段ＱＮＡに統合され得る。
【００３１】
図２は、本発明の特有の実施モードに従って特有のインタフェイスによって提供されるリソースの最適管理を可能にするデータ伝送方法の動作をステップ図の形式で示す図である。本方法は、特有のインタフェイスが割り当てられている種々のストリームと関連付けられているスループットレート値の合計から得られる累積値ＤＴＦが着目中の時点で前記特有のインタフェイスによって提供されるスループットレートの最大値ＤＭと比較される初期比較ステップＣＭＰ０を含む点で特徴付けられている。累積スループットレートＤＴＦが最大スループットレート値ＤＭより大きいと認められるとき、非優先ストリームのスループットレートを削減するステップＮＰＤＥＣが実行される。そして、第１のタイプのテストＴ１を備えるステップが、非優先ストリームのスループットレートの削減がインタフェイスの輻輳を緩和するために十分であったかどうかを判定する目的のために実行される。これは、最大スループットレート値ＤＭを、設定ステップの実行後に取得された新しい累積値ＤＴＦと比較することによって行われる。否定であるならば、優先ストリームのスループットレートを削減するステップＤＴＦＤＥＣが実行される。この削減は段階的に行われ、すなわち、優先ストリームのスループットレートの値がこの値の直ぐ下の公称値で置き換えられた後に、新しい第１のタイプのテストＴ１は新たに実行された削減がインタフェイスの輻輳を緩和するために十分であったかどうかを判定するために実行される。したがって、上述されているように、インタフェイスによって優先ストリームに割り当てられたスループットレートを削減する種々のステップＤＴＦＤＥＣは、複数の可能な代替的な動作モードに従って実行されることがある。従って、複数の連続した削減が同じ優先度が割り当てられた複数の別個のストリームに対して行われ、その結果、これらのストリームにストリームのピアと相対的にペナルティを科さない第１のオプションを選択することが可能である。これに反して、特有のストリームのスループットレートの削減がスループットの最小値に達するまで続けられ、その結果、その後に限り、同じ優先度が割り当てられた別のストリームのスループットレートの削減が始まり、インタフェイスの輻輳が緩和されるまで同様に続く第２のオプションを選択することも可能である。さらに、ストリーム毎に、１回の動作でスループットレートを最小値まで下げるために設計された１回限りのスループットレート削減動作を実施することを考えることが可能である。
【００３２】
様々な優先度値のスループットレートがすべて、インタフェイスの輻輳が緩和されることなく、それぞれの最小値Ｄｒｍへ削減され、この点が第１のタイプのテストＴ１のためのステップと反復的に組み合わされた第２のタイプのテストＴ２のための第２のステップによって決定されていると仮定すると、ストリームの中で最低優先度を示す１つのストリームが、スイッチングステップＳＴＲＣＯＭの間に、スイッチング動作の対象とされ、別のインタフェイスへリダイレクトされるように、選択ステップＳＴＲＳＥＬの間に選択される。複数のストリームが同じ最低優先度を有するならば、これらのストリーム間での任意の選択が、ストリームの中でスイッチングステップの対象とされる１つのストリームを選択する目的のため選択ステップＳＴＲＳＥＬの間に行われる。第１のタイプのテストＴ１を実行する新しいステップは、そのとき、このスイッチングがインタフェイスの輻輳を緩和するために十分であるかどうかを判定することを可能にし、このことは、選択されたストリームの最小スループットレートＤｒｍと、ストリームの現在のインタフェイスによってこのストリームに提供された利用可能なスループットレートとの事後比較を行うということになる。インタフェイスが飽和している限り、非優先ストリームが新しいスイッチングステップＳＴＲＣＯＭの対象とされる。
【００３３】
所定のスレッショルドより低い優先度を有するすべてのストリームが、インタフェイスの輻輳を緩和されることなく、スイッチングステップＳＴＲＣＯＭの対象とされたと仮定するならば、１つ以上の優先ストリームが次々にスイッチングステップＳＴＲＣＯＭの対象とされていたことになる。このために選択ステップＳＴＲＳＥＬの間に選択されたストリームは、したがって、最小スループットレートＤｒｍが着目中のインタフェイスを移動するストリームの累積スループットレートＤＴＦの値から減算されたときに、このインタフェイスによって提供された利用可能なスループットレートＤＭの値に最も近い値である値を取得することを可能にするストリームである。
【００３４】
ここに示されている実施モード以外の本発明の１つの実施モードでは、スイッチングステップＳＴＲＣＯＭの対象とされるストリームの選択は、上述されているシーケンスの逆であるシーケンスに従って行われ、スイッチングステップＳＴＲＣＯＭの対象とされることが好ましいストリームは、ストリームの中で、消失がインタフェイスによって提供される最大スループットレート値ＤＭに最も近い累積値ＤＴＦの獲得を可能にするストリームであり、このストリームの優先度とは無関係に、優先度は、消失が帯域幅の解放という点で同一の効果を生じる２つのストリームが存在する場合に限り考慮されるように設計されている。
【００３５】
さらに、本発明のある種の他の実施モードでは、着目中のインタフェイスの飽和が検出された直後に、すなわち、スループットレートの予備的な削減無しに、上記説明に準拠しているスイッチングステップＳＴＲＣＯＭの性能を予見することが完全に可能である。このような状況では、ストリームに関連したサービス品質に影響を与えることなく、他のインタフェイスにリダイレクトされ得るストリームは、効果的に、着目中のインタフェイスの輻輳が緩和されるまで、等しい個数の対応するスイッチングステップＳＴＲＣＯＭの対象とされる。しかし、切り替え不能なストリームとして知られているある種のストリーム、たとえば、中断のあらゆる可能性が原則的に禁止され、リアルタイムでオーディオビジュアル番組を搬送するストリームは、すべての切り替え不能なストリームの再割り当て後に、依然として着目中のインタフェイスの責任の下にあること、および、着目中のインタフェイスが前記切り替え不能なストリームの負荷の下で依然として飽和していることが起こり得る。したがって、その後に、着目中のインタフェイスの輻輳を緩和するために、従来の様式（modality）に従って前記切り替え不能なストリームのスループットレートを削減することが可能になる。
【００３６】
上述されている反復プロセスは、利用可能なスループットレートＤＭが再び累積スループットレートＤＴＦの値以上になるまで続く。完全に等しい場合、このようにして取得された設定条件はパラメータの妥当性検証のためステップＳＶＳＥＴの間に保存される。このステップは、インタフェイスの通信の条件の不断の監視を実行するために、このステップの後に新しい比較ステップＣＭＰ０が続けられ、このようにして、コンフィギュレーションを動的に適合させることができる。
【００３７】
非常に好ましくない状況では、上述されている削減ステップおよびスイッチングステップのシーケンスは、着目中のインタフェイスの輻輳の緩和をもたらさないことがあり、この場合、優先度の昇順または降順によって、または、前記ストリームの除去によって解放された帯域幅に応じて、１つ以上の特有のストリームの除去のステップを実行することが必要になる可能性があり、上記説明の置き換えによって、この種の削除ステップは、ここで説明されていないが、スイッチングステップＳＴＲＣＯＭと第１のタイプのテストＴ１のためのステップとの間に挿入されるように設計されている。
【００３８】
第１のタイプのテストＴ１のためのステップが、逆に、利用可能な断片的な帯域幅が存在することを明らかにするならば、たとえば、ストリームの現在のスループットレート値の直ぐ次に大きいストリームの公称スループットレート値を選択することによって、より高い優先度を有するストリームのスループットレートを増大する後続のステップＤＴＦＩＮＣが実行され、スループットレートを増大させる前記ステップＤＴＦＩＮＣの後に、この増大がインタフェイスを再び飽和させる影響があったかどうかを判定することを目的とする第３のタイプのテストＴ２２のためのステップが続けられる。もしそうであるならば、パラメータの妥当性検証のためのステップＰＲＶＳＥＴ中に保存されるのは先行スループットレートである。もしそうでなければ、スループットレートを増大させる新しいステップＤＴＦＩＮＣが実行され、その後に、第３のタイプのテストＴ２２のための新しいステップによる妥当性検証の対象となり、スループットレートを増大させる連続的なステップＤＴＦＩＮＣの対象となる様々なストリームが優先度の降順によって選択される。
【００３９】
これらの増大ステップは、本発明がこのように最高優先度を有するストリームに充てられるリソースの増大の利益のために前記インタフェイスによって最低優先度を有するストリームの通過に充てられたリソースの動的であり、殆どリアルタイムのリソースの削減を実行するときに、着目中のインタフェイスの帯域幅の管理の最適化を完了するために使用される。
【図面の簡単な説明】
【００４０】
【図１】本発明が実施される電気通信システムを説明する機能図である。
【図２】本発明の有利な実施モードに従う方法を表現するシーケンシャル図である。
【図１】
2009508374.tif 000003
【図２】
2009508374.tif 000004
【国際調査報告】
2009508374.tif 000005
2009508374.tif 000006
2009508374.tif 000007
2009508374.tif 000008
2009508374.tif 000009
2009508374.tif 000010
2009508374.tif 000011
2009508374.tif 000012
2009508374.tif 000013
2009508374.tif 000014